(57)【要約】      （修正有）【課題】貯水桝から水を排水する排水装置において、センサーを収容する収容管内のセンサーを容易に洗浄することができるセンサーの洗浄方法を提供する。【解決手段】排水装置１は、貯水桝Ｘから水を排水する排水ポンプ２と、管状に形成されて一端部に開口部を有すると共にセンサー３を収容した状態で該一端部が下方に位置するように貯水桝Ｘ内に配置される収容管４と、排水ポンプ２からの水を流通させる第一流路５と、第一流路５からの水を貯水桝Ｘの外側へ排出する第二流路６と、第一水位Ｗ１よりも上方の位置で収容管４と接続されて収容管内に第一流路５からの水を供給する第三流路７と、第一流路５、第二流路６、及び、第三流路７が接続される三方弁８とを備えており、貯水桝Ｘの水位が第二水位Ｗ２となった際に三方弁８の切り換えによって第一流路５と第三流路７とを連通させることで排水ポンプ２からの水を収容管４内に吐出させて排水装置を洗浄する。【選択図】図１
2017133201.tif 000002
【特許請求の範囲】
【請求項１】
供給される水を貯留する貯水桝の水位が所定の第一水位になった際に貯水桝から水を排水して第一水位よりも低い第二水位に貯水桝の水位を調節する排水装置の洗浄方法であって、
前記排水装置は、貯水桝から水を排水する排水ポンプと、管状に形成されて一端部に開口部を有すると共にセンサーを収容した状態で該一端部が下方に位置するように貯水桝内に配置される収容管と、排水ポンプからの水を流通させる第一流路と、該第一流路からの水を貯水桝の外側へ排出する第二流路と、第一水位よりも上方の位置で収容管と接続されて収容管内に第一流路からの水を供給する第三流路と、第一流路、第二流路、及び、第三流路が接続される三方弁とを備えており、
貯水桝の水位が第二水位となった際に三方弁の切り換えによって第一流路と第三流路とを連通させることで排水ポンプからの水を収容管内に吐出させることを特徴とする排水装置の洗浄方法。
【請求項２】
前記センサーは、貯水桝の水位を検知する水位センサーから構成されており、
貯水桝の水位が前記第一水位を超えたことを水位センサーが検知した際に三方弁の切り換えによって第一流路と第二流路とを連通させることで貯水桝の水を貯水桝の外側へ排出可能とし、貯水桝の水位が第二水位を下回ったことを水位センサーが検知した際に三方弁の切り換えによって第一流路と第三流路とを連通させることで排水ポンプからの水を収容管内に吐出可能とすることを特徴とする請求項１に記載の排水装置の洗浄方法。
【請求項３】
前記排水装置は、排水ポンプの駆動を制御する第一制御部を備え、該第一制御部は、貯水桝の水位が前記第一水位を超えたことを水位センサーが検知したときに排水ポンプを駆動させ、貯水桝の水位が前記第二水位を下回ったことを水位センサーが検知したときから所定時間経過後に排水ポンプの駆動を停止させることを特徴とする請求項２に記載の排水装置の洗浄方法。
【請求項４】
前記排水装置は、三方弁の切り換えを制御する第二制御部を備え、該第二制御部は、貯水桝の水位が前記第一水位を超えたことを水位センサーが検知したときに第一流路と第二流路とを連通させるべく三方弁を切り換え、貯水桝の水位が第二水位を下回ったことを水位センサーが検知したときに第一流路と第三流路とを連通させるべく三方弁を切り換えることを特徴とする請求項２又は３の何れか一項に記載の排水装置の洗浄方法。
【請求項５】
供給される水を貯留する貯水桝の水位が所定の第一水位を超えた際に貯水桝から水を排水して第一水位よりも低い第二水位に貯水桝の水位を調節する排水装置であって、
貯水桝から水を排水する排水ポンプと、管状に形成されて一端部に開口部を有すると共にセンサーを収容した状態で該一端部が下方に位置するように貯水桝内に配置される収容管と、排水ポンプからの水を流通させる第一流路と、該第一流路からの水を貯水桝の外側へ排出する第二流路と、第一水位よりも上方の位置で収容管と接続されて収容管内に第一流路からの水を供給する第三流路と、第一流路、第二流路、及び、第三流路が接続される三方弁とを備え、三方弁の切り換えによって第一流路と第三流路とを連通させることで排水ポンプからの水を収容管内に吐出可能に構成されることを特徴とする排水装置。
【発明の詳細な説明】
【技術分野】
【０００１】
本発明は、センサーの洗浄方法、及び、排水装置に関する。
【背景技術】
【０００２】
供給される水を貯留する貯水桝が種々の分野で使用されている。例えば、工場からの排水を貯水桝に貯留することで、排水を環境中へ排出する前に、排水の水質を検査したり、排水から油分を分離して回収したりすることが可能となる。
【０００３】
貯水桝へは、連続的又は断続的に水が供給されるため、所定の水位を超えた段階で貯水桝の水を排水する必要がある。貯水桝から水を排水する装置としては、貯水桝から水を排水する排水ポンプと、貯水桝の水位を検知する水位検知部と、排水ポンプからの水を流通させて貯水桝の外側へ排出する排水路とから構成されるものが考えられる。
【０００４】
斯かる排水装置は、貯水桝の水位が所定の第一水位を超えたことを水位検知部が検知した際に排水ポンプを駆動させ、排水路を介して貯水桝の外側へ水を排水するように構成されている。また、斯かる排水装置は、貯水桝の水位が第一水位よりも低い第二水位を下回った際に排水ポンプの駆動が停止するように構成されている。つまり、斯かる排水装置は、貯水桝の水位が第一水位と第二水位との間に保持されるように構成されている。
【０００５】
上記のような排水装置が備える水位検知部は、貯水桝の水位を検知する水位センサーと該水位センサーを収容する収容管とから構成されるものが提案されている（特許文献１参照）。斯かる収容管は、一端部に形成された開口部が第二水位よりも低い位置になるように貯水桝内に配置されることで、貯水桝に供給される水が該開口部から収容管内に侵入するように構成される。これにより、収容管内の水位が貯水桝の水位に対応した水位となるように構成される。収容管内の水位センサーは、貯水桝の水位が第二水位であるときに水面から露出する領域が貯水桝の水位が第一水位を超えた際に水没するように構成されている。
【先行技術文献】
【特許文献】
【０００６】
【特許文献１】特開２０１３−７７２１号公報
【発明の概要】
【発明が解決しようとする課題】
【０００７】
しかしながら、貯水桝へ水が供給されることによって貯水桝内の水が撹拌されるため、貯水桝内のゴミ等の異物が収容管内に侵入し、水位センサーに付着することがある。また、収容管内では、水の移動が生じにくいため、水位センサーの水没した部分に汚れ（例えば、藻や水垢など）が付着し易くなる。このように水位センサーに異物や汚れが付着すると水位を正確に検知できなくなるため、収容管から水位センサーを取り出して水位センサーを洗浄する作業を行うことが必要となるが、斯かる作業は大変煩雑なものとなっている。
【０００８】
そこで、本発明は、貯水桝から水を排水する排水装置において、センサーを収容する収容管内のセンサーを容易に洗浄することができるセンサーの洗浄方法を提供すると共に、センサーの洗浄を容易に行うことができる排水装置を提供することを課題とする。
【課題を解決するための手段】
【０００９】
本発明に係るセンサーの洗浄方法は、供給される水を貯留する貯水桝の水位が所定の第一水位になった際に貯水桝から水を排水して第一水位よりも低い第二水位に貯水桝の水位を調節する排水装置の洗浄方法であって、前記排水装置は、貯水桝から水を排水する排水ポンプと、管状に形成されて一端部に開口部を有すると共にセンサーを収容した状態で該一端部が下方に位置するように貯水桝内に配置される収容管と、排水ポンプからの水を流通させる第一流路と、該第一流路からの水を貯水桝の外側へ排出する第二流路と、第一水位よりも上方の位置で収容管と接続されて収容管内に第一流路からの水を供給する第三流路と、第一流路、第二流路、及び、第三流路が接続される三方弁とを備えており、貯水桝の水位が第二水位となった際に三方弁の切り換えによって第一流路と第三流路とを連通させることで排水ポンプからの水を収容管内に吐出させることを特徴とする。
【００１０】
斯かる構成によれば、貯水桝の水位が第二水位となった際に、第一流路、第二流路、及び、第三流路が接続された三方弁の切り換えによって、第一流路と第三流路とを連通させることで、排水ポンプからの水を収容管内に吐出させる。これにより、排水ポンプからの水が収容管内のセンサーに掛け流されるため、センサーを収容管から取り出すことなく容易に洗浄することができる。
【００１１】
前記センサーは、貯水桝の水位を検知する水位センサーから構成されており、貯水桝の水位が前記第一水位を超えたことを水位センサーが検知した際に三方弁の切り換えによって第一流路と第二流路とを連通させることで貯水桝の水を貯水桝の外側へ排出可能とし、貯水桝の水位が第二水位を下回ったことを水位センサーが検知した際に三方弁の切り換えによって第一流路と第三流路とを連通させることで排水ポンプからの水を収容管内に吐出可能とすることが好ましい。
【００１２】
斯かる構成によれば、貯水桝の水位が第一水位を超えた際に三方弁によって第一流路と第二流路とを連通させることで、第一水位から第二水位へ水位が低下するまで貯水桝の外へ排水することができる。そして、貯水桝の水位が第二水位になった際に三方弁によって第一流路と第三流路とを連通させることで、排水ポンプからの水を収容管内に吐出させて水位センサーに掛け流すことができる。これにより、水位センサーを収容管から取り出すことなく容易に洗浄することができる。
【００１３】
前記排水装置は、排水ポンプの駆動を制御する第一制御部を備え、該第一制御部は、貯水桝の水位が前記第一水位を超えたことを水位センサーが検知したときに排水ポンプを駆動させ、貯水桝の水位が前記第二水位を下回ったことを水位センサーが検知したときから所定時間経過後に排水ポンプの駆動を停止させることが好ましい。
【００１４】
斯かる構成によれば、貯水桝の水位が第一水位から第二水位へ低下するまでは、第一制御部によって排水ポンプの駆動が継続されるため、三方弁によって第一流路と第二流路とを連通させることで、貯水桝の水を排水することができる。また、第二水位を下回った後も所定時間、排水ポンプの駆動が第一制御部によって継続されるため、三方弁を切り換えて第一流路と第三流路とを連通させることで、排水ポンプからの水を第一流路及び第三流路を介して収容管内に吐出させ、水位センサーに掛け流すことができる。これにより、水位センサーを収容管から取り出すことなく容易に洗浄することができる。また、所定時間経過後に排水ポンプの駆動が第一制御部によって停止されるため、水位センサーの洗浄が中断される。これにより、必要以上に水位センサーの洗浄が継続されるのを防止することができる。
【００１５】
前記排水装置は、三方弁の切り換えを制御する第二制御部を備え、該第二制御部は、貯水桝の水位が前記第一水位を超えたことを水位センサーが検知したときに第一流路と第二流路とを連通させるべく三方弁を切り換え、貯水桝の水位が第二水位を下回ったことを水位センサーが検知したときに第一流路と第三流路とを連通させるべく三方弁を切り換えることが好ましい。
【００１６】
斯かる構成によれば、貯水桝の水位が第一水位から第二水位へ水位が低下するまでは、第一流路と第二流路とが連通するように第二制御部によって三方弁が切り替わるため、排水ポンプの駆動を継続することで、貯水桝の水を排水することができる。また、第二水位を下回った際に第一流路と第三流路とが連通するように第二制御部によって三方弁が切り替わるため、排水ポンプの駆動を継続することで、排水ポンプからの水を収容管内に吐出させ、水位センサーに掛け流すことができる。これにより、水位センサーを収容管から取り出すことなく容易に洗浄することができる。
【００１７】
本発明に係る排水装置は、供給される水を貯留する貯水桝の水位が所定の第一水位を超えた際に貯水桝から水を排水して第一水位よりも低い第二水位に貯水桝の水位を調節する排水装置であって、貯水桝から水を排水する排水ポンプと、管状に形成されて一端部に開口部を有すると共にセンサーを収容した状態で該一端部が下方に位置するように貯水桝内に配置される収容管と、排水ポンプからの水を流通させる第一流路と、該第一流路からの水を貯水桝の外側へ排出する第二流路と、第一水位よりも上方の位置で収容管と接続されて収容管内に第一流路からの水を供給する第三流路と、第一流路、第二流路、及び、第三流路が接続される三方弁とを備え、三方弁の切り換えによって第一流路と第三流路とを連通させることで排水ポンプからの水を収容管内に吐出可能に構成されることを特徴とする。
【発明の効果】
【００１８】
以上のように、本発明によれば、貯水桝から水を排水する排水装置において、センサーを収容する収容管内のセンサーを容易に洗浄することができる。
【図面の簡単な説明】
【００１９】
【図１】本発明の一実施形態に係る排水装置の概略図。
【発明を実施するための形態】
【００２０】
以下に、本発明に係るセンサーの洗浄方法、及び、排水装置の一実施形態について、図面を参照しつつ説明する。
【００２１】
本発明の一実施形態に係る排水装置１は、図１に示すように、供給される水を貯留する貯水桝Ｘの水位が所定の第一水位Ｗ１を超えた際に貯水桝Ｘから水を排水して第一水位Ｗ１よりも低い第二水位Ｗ２に貯水桝Ｘの水位を調節可能に構成される。
【００２２】
具体的には、排水装置１は、貯水桝Ｘから水を排水する排水ポンプ２と、貯水桝Ｘの水位を検知する水位センサー３と、該水位センサー３を収容する収容管４と、排水ポンプ２に接続される第一配管５と、貯水桝Ｘの外側へ水を排出する第二配管６と、収容管４に接続される第三配管７と、第一配管５と第二配管６と第三配管７とが接続される三方弁８とを備える。
【００２３】
水位センサー３は、複数の棒状の電極から構成される。具体的には、水位センサー３は、３本の電極から構成され、各電極が貯水桝Ｘの深さ方向に沿って配置される。また、貯水桝Ｘの深さ方向側に位置する各電極の一端部は、貯水桝Ｘの深さ方向の異なる位置に配置される。以下では、各電極のうち、一端部が貯水桝Ｘの最も深い位置に配置されたものを基準電極３ａ、一端部が最も浅い位置に配置されたものを第一電極３ｂ、一端部が基準電極３ａの一端部と第一電極３ｂの一端部との間の深さ位置に配置されたものを第二電極３ｃと記載する。具体的には、基準電極３ａの一端部は、第二水位よりも低い位置に配置され、第一電極３ｂの一端部は、第一水位Ｗ１と重なる位置に配置され、第二電極３ｃの一端部は、第二水位Ｗ２と重なる位置に配置される。
【００２４】
また、水位センサー３（具体的には、基準電極３ａ、第一電極３ｂ、及び、第二電極３ｃ）は、貯水桝Ｘの水位が第二水位Ｗ２のときに水面から露出した部分が貯水桝Ｘの水位が第一水位Ｗ１を超えることで水没するように構成される。つまり、水位センサー３（具体的には、基準電極３ａ、第一電極３ｂ、及び、第二電極３ｃ）は、第一水位Ｗ１と第二水位Ｗ２との間に位置する領域が水没したり水面から露出したりするように構成される。
【００２５】
収容管４は、一端部に開口部４ａを備え、該一端部が下方（換言すれば、貯水桝Ｘの深さ方向側）に位置するように貯水桝Ｘ内に配置される。具体的には、収容管４は、開口部４ａが第二水位Ｗ２より下方に位置し、他端部４ｂ側が第一水位Ｗ１よりも上方に位置するように貯水桝Ｘ内に配置される。これにより、貯水桝Ｘの水が開口部４ａから収容管４の内側に侵入し、収容管４内の水位が貯水桝Ｘの水位に対応した水位となる。また、収容管４の他端部４ｂには、水位センサー３が固定される。
【００２６】
なお、開口部４ａは、網状部材によって覆われることが好ましい。これにより、開口部４ａから収容管４内に異物が侵入するのを防止できると共に、後述のように第三配管７を介して収容管４内に貯水桝Ｘ内の水が供給されることによって収容管４内に入った異物が開口部４ａから排出されるため、収容管４内に異物が体積するのを防止することができる。
【００２７】
また、収容管４は、第三配管７と連結される配管連結部４ｃを備える。該配管連結部４ｃは、収容管４の他端部側（具体的には、第一水位Ｗ１よりも上方）に形成される。また、配管連結部４ｃは、水位センサー３を収容する内部空間と連通する貫通孔から構成される。
【００２８】
第一配管５は、一端部が排水ポンプ２に接続され、他端部が三方弁８に接続される。第二配管６は、一端部が三方弁８に接続され、他端部から貯水桝Ｘ内の水を貯水桝Ｘの外側へ排水可能に構成される。第三配管７は、一端部が三方弁８に接続され、他端部が収容管４（具体的には、配管連結部４ｃ）に接続される。これにより、排水ポンプ２からの水を流通させる第一流路（具体的には、第一配管５内の流路）と、該第一流路からの水を貯水桝Ｘの外側へ排出する第二流路（具体的には、第二配管６内の流路）と、第一水位Ｗ１よりも上方の位置で収容管４と接続されて収容管４内に第一流路からの水を供給する第三流路（具体的には、第三配管７内の流路）とが形成され、第一流路、第二流路、及び、第三流路が三方弁８を介して接続される。
【００２９】
次に、上記のような構成の排水装置１の使用方法について説明する。まず始めに、貯水桝Ｘから水を排水する方法について説明する。具体的には、貯水桝Ｘへ水が供給されることで、貯水桝Ｘの水位が上昇する。これに伴い収容管４内の水位は、貯水桝Ｘの水位に対応した水位で上昇する。そして、貯水桝Ｘの水位が第一水位Ｗ１を超えたことが水位センサー３で検知される。具体的には、収容管４内の水面が第一水位Ｗ１を超えることで第一電極３ｂが収容管４内の水と接触する。これにより、基準電極３ａと第一電極３ｂとが導通して回路が形成されることで貯水桝Ｘの水位が第一水位Ｗ１を超えたことが検知される。
【００３０】
そして、このような水位センサー３による検知に伴って、排水ポンプ２を駆動させると共に、三方弁８を切り換えて第一流路（具体的には、第一配管５内の流路）と第二流路（具体的には、第二配管６内の流路）とを連通させる。排水ポンプ２の駆動や三方弁８の切り換えは、水位センサー３による検知に連動して自動的に行われることが好ましい。
【００３１】
例えば、排水ポンプ２の駆動を制御する第一制御部（図示せず）を排水装置１に設け、貯水桝Ｘの水位が第一水位Ｗ１を超えたことを示す水位センサー３の信号に基づいて第一制御部が排水ポンプ２を駆動させるように構成してもよい。また、三方弁８として電磁弁を用いると共に三方弁８の切り換えを制御する第二制御部（図示せず）を排水装置１に設け、貯水桝Ｘの水位が第一水位Ｗ１を超えたことを示す水位センサー３の信号に基づいて第二制御部が三方弁８を切り換えるように構成してもよい。
【００３２】
そして、第一流路（具体的には、第一配管５内の流路）と第二流路（具体的には、第二配管６内の流路）とが連通した状態で排水ポンプ２が駆動されることで、貯水桝Ｘの水が貯水桝Ｘの外へ排水されるため、貯水桝Ｘの水位が第一水位Ｗ１から第二水位Ｗ２へ低下することになる。
【００３３】
次に、水位センサー３を洗浄する方法について説明する。具体的には、上記のような貯水桝Ｘからの排水によって、貯水桝Ｘの水位が第二水位Ｗ２を下回ったことが水位センサー３で検知される。具体的には、収容管４内の水面が第二水位Ｗ２を下回ることで第二電極３ｃが収容管４内の水から離間し、基準電極３ａと第二電極３ｃとの導通が切断されることで貯水桝Ｘの水位が第二水位Ｗ２を下回ったことが検知される。
【００３４】
そして、貯水桝Ｘの水位が第二水位Ｗ２を下回った後においても排水ポンプ２の駆動を継続すると共に、三方弁８を切り換えて第一流路（具体的には、第一配管５内の流路）と第三流路（具体的には、第三配管７内の流路）とを連通させる。排水ポンプ２の駆動の継続や三方弁８の切り換えは、水位センサー３による検知に連動して自動的に行われることが好ましい。
【００３５】
例えば、貯水桝Ｘの水位が第二水位Ｗ２を下回ったことを示す水位センサー３の信号に基づいて第一制御部が排水ポンプ２の駆動を所定時間継続させるように構成してもよい。つまり、貯水桝Ｘの水位が第二水位Ｗ２を下回った後、所定時間経過後に排水ポンプ２が停止するように第一制御部が排水ポンプ２の駆動を制御してもよい。具体的には、貯水桝Ｘの水位が第二水位Ｗ２を下回ったことを示す水位センサー３の信号に基づいて第一制御部が排水ポンプ２の駆動を停止させる信号を排水ポンプ２に発信する場合には、斯かる信号を発信する回路を所定時間ロックしたり、斯かる信号を受け取った排水ポンプ２が所定時間斯かる信号を無視するように構成したり、斯かる信号を排水ポンプ２が受け取ることで排水ポンプ２の駆動を所定時間延長するタイマーが起動するように構成したりすることができる。また、三方弁８として電磁弁を用いると共に、貯水桝Ｘの水位が第二水位Ｗ２を下回ったことを示す水位センサー３の信号に基づいて上記の第二制御部が三方弁８を切り換えるように構成してもよい。
【００３６】
そして、第一流路（具体的には、第一配管５内の流路）と第三流路（具体的には、第三配管７内の流路）とが連通した状態で排水ポンプ２が所定時間駆動することで、排水ポンプ２からの水が収容管４内に供給されて収容管４内に吐出される。これにより、収容管４内の水位センサー３に水が掛け流されるため、水位センサー３に付着した異物や水垢が洗浄される。具体的には、第一水位Ｗ１よりも上方の位置で収容管４（具体的には、配管連結部４ｃ）と第三流路（具体的には、第三配管７内の流路）とが接続されているため、水位センサー３における第一水位Ｗ１と第二水位Ｗ２との間の領域（具体的には、貯水桝Ｘの水位が第二水位Ｗ２となることで水没した状態から露出した状態になる領域）に水が掛け流されるため。斯かる領域に付着した異物や水垢が洗浄される。
【００３７】
以上のように、本発明に係るセンサーの洗浄方法、及び、排水装置によれば、センサーを収容する収容管内のセンサーを容易に洗浄することができる。
【００３８】
即ち、貯水桝Ｘの水位が第二水位Ｗ２となった際に、第一流路（第一配管５内の流路）、第二流路（第二配管６内の流路）、及び、第三流路（第三配管７内の流路）が接続された三方弁８の切り換えによって、第一流路（第一配管５内の流路）と第三流路（第三配管７内の流路）とを連通させることで、排水ポンプ２からの水を収容管４内に吐出させる。これにより、排水ポンプ２からの水が収容管４内のセンサー（水位センサー）３に掛け流されるため、センサー（水位センサー）３を収容管４から取り出すことなく容易に洗浄することができる。
【００３９】
また、貯水桝Ｘの水位が第一水位Ｗ１を超えた際に三方弁８によって第一流路（第一配管５内の流路）と第二流路（第二配管６内の流路）とを連通させることで、第一水位Ｗ１から第二水位Ｗ２へ水位が低下するまで貯水桝Ｘの外へ排水することができる。そして、貯水桝Ｘの水位が第二水位Ｗ２になった際に三方弁８によって第一流路（第一配管５内の流路）と第三流路（第三配管７内の流路）とを連通させることで、排水ポンプ２からの水を収容管４内に吐出させて水位センサー３に掛け流すことができる。これにより、水位センサー３を収容管４から取り出すことなく容易に洗浄することができる。
【００４０】
また、貯水桝Ｘの水位が第一水位Ｗ１から第二水位Ｗ２へ低下するまでは、第一制御部によって排水ポンプ２の駆動が継続されるため、三方弁８によって第一流路（第一配管５内の流路）と第二流路（第二配管６内の流路）とを連通させることで、貯水桝Ｘの水を排水することができる。また、第二水位Ｗ２を下回った後も所定時間、排水ポンプ２の駆動が第一制御部によって継続されるため、三方弁８を切り換えて第一流路（第一配管５内の流路）と第三流路（第三配管７内の流路）とを連通させることで、排水ポンプ２からの水を第一流路（第一配管５内の流路）及び第三流路（第三配管７内の流路）を介して収容管４内に吐出させ、水位センサー３に掛け流すことができる。これにより、水位センサー３を収容管４から取り出すことなく容易に洗浄することができる。また、所定時間経過後に排水ポンプ２の駆動が第一制御部によって停止されるため、水位センサー３の洗浄が中断される。これにより、必要以上に水位センサー３の洗浄が継続されるのを防止することができる。
【００４１】
また、貯水桝Ｘの水位が第一水位Ｗ１から第二水位Ｗ２へ水位が低下するまでは、第一流路（第一配管５内の流路）と第二流路（第二配管６内の流路）とが連通するように第二制御部によって三方弁８が切り替わるため、排水ポンプ２の駆動を継続することで、貯水桝Ｘの水を排水することができる。また、第二水位Ｗ２を下回った際に第一流路（第一配管５内の流路）と第三流路（第三配管７内の流路）とが連通するように第二制御部によって三方弁８が切り替わるため、排水ポンプ２の駆動を継続することで、排水ポンプ２からの水を収容管４内に吐出させ、水位センサー３に掛け流すことができる。これにより、水位センサー３を収容管４から取り出すことなく容易に洗浄することができる。
【００４２】
なお、本発明に係るセンサーの洗浄方法、及び、排水装置は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４３】
上記実施形態では、貯水桝Ｘの水位が第二水位Ｗ２を下回った後、所定時間経過後に排水ポンプ２が停止するように構成されているが、これに限定されるものではなく、例えば、排水ポンプ２が停止することなく駆動しつづけるように構成されてもよい。これにより、第一流路（具体的には、第一配管５内の流路）と第三流路（具体的には、第三配管７内の流路）とが三方弁８によって連通した状態を維持しつつ貯水桝Ｘへの水の供給を行うことができる。つまり、貯水桝Ｘの水位が第二水位Ｗ２から第一水位Ｗ１へ上昇するまで収容管４内への水の供給が継続されるため、収容管４内に水流が生じ、水位センサー３に異物や水垢が付着するのを抑制することができる。
【００４４】
また、上記実施形態では、貯水桝Ｘの水位が第二水位Ｗ２を下回った後、所定時間経過後に排水ポンプ２が停止するように構成されているが、これに限定されるものではなく、例えば、貯水桝Ｘの水位が第二水位Ｗ２を下回った際に排水ポンプ２が停止し、その後、排水ポンプ２が再度駆動するように構成されてもよい。
【００４５】
また、上記実施形態では、水位センサー３による水位の検知に基づいて、三方弁８の切り換えを行うように構成されているが、これに限定されるものではなく、例えば、水位センサー３による水位の検知とは別に、任意に三方弁８の切り換えを行う（手動又は自動で行う）ように構成してもよい。
【００４６】
また、上記実施形態では、三方弁８と収容管４とが一つの第三配管７で接続されて一カ所から収容管４内に水が吐出されるように構成されているが、これに限定されるものではなく、収容管４内の電極の数に対応した数の第三配管７によって三方弁８と収容管４とが接続されて、各電極のそれぞれに対して個別に水が吐出されるように構成されてもよい。
【００４７】
また、上記実施形態では、収容管４は水位センサー３を収容するように構成されているが、これに限定されるものではなく、少なくとも一部が収容管４内で水没するセンサーであれば、他のセンサーを収容管４が収容するように構成されてもよい。
【符号の説明】
【００４８】
１…排水装置、２…排水ポンプ、３…水位センサー、３ａ…基準電極、３ｂ…第一電極、３ｃ…第二電極、４…収容管、４ａ…開口部、４ｂ…他端部、４ｃ…配管連結部、５…第一配管、６…第二配管、７…第三配管、８…三方弁、Ｗ１…第一水位、Ｗ２…第二水位、Ｘ…貯水桝
【図１】
2017133201.tif 000003